(57)【要約】【課題】  負荷への安全性・信頼性を向上できるスイッチング電源装置を実現する。【解決手段】  一次側主巻線と二次側巻線とを有する出力トランスＴ１の一次側主巻線に接続されて、負荷へ印加印加される負荷電圧を安定化するためのスイッチング用のトランジスタＱ１を設ける。トランジスタＱ１のスイッチングを制御する一次側副巻線Ｔ１ｃを出力トランスＴ１に設ける。出力トランスＴ１の一次側に設けられた入力電源電圧の過電圧検出回路３を設ける。出力トランスＴ１の二次側に設けられ、過電圧検出回路３の検出結果に基づいて負荷への電力供給を遮断させる出力遮断回路４を設ける。【選択図】  図１
2005198469.tif 000002
【特許請求の範囲】
【請求項１】
一次側巻線と二次側巻線とを有するトランスと、
トランスの一次側巻線に接続されて、負荷へ印加印加される負荷電圧が安定化するためのスイッチング素子と、
スイッチング素子のスイッチングを制御する制御回路と、
上記トランスの一次側に設けられた入力電源電圧の検出回路と、
上記トランスの二次側に設けられ、上記検出回路の検出結果に基づいて負荷への電力供給を遮断させる出力遮断部とを備えていることを特徴とするスイッチング電源装置。
【請求項２】
前記検出回路は、直流入力又は、交流を整流平滑した直流電圧を検出するものであることを特徴とする請求項１記載のスイッチング電源装置。
【請求項３】
前記検出回路は、トランスに入力電圧検出巻線を設け、その入力電圧検出巻線に発生する電圧を整流平滑した直流電圧を検出するものであることを特徴とする請求項１記載のスイッチング電源装置。
【請求項４】
前記検出回路は、入力電源電圧を検出する定電圧ダイオードを備え、
前記出力遮断部は、一次−二次間にて情報を伝達するフォトカプラ、及び出力を開放するためのトランジスタを備え、定電圧ダイオードで検出された入力電源電圧の上昇の検出に基づきフォトカプラで二次側のトランジスタを作動させ、出力ラインを開放し出力を停止するものであることを特徴とする請求項１ないし３の何れか１項に記載のスイッチング電源装置。
【請求項５】
前記検出回路は、入力電源電圧を検出する定電圧ダイオードを備え、
前記出力遮断部は、一次−二次間にて情報を伝達すると共に出力ラインを断接するためのリレーを備え、定電圧ダイオードでの入力電源電圧の上昇の検出に基づき、リレーを作動させることにより、出力ラインを開放し出力を停止するものであることを特徴とする請求項１ないし３の何れか１項に記載のスイッチング電源装置。
【請求項６】
前記検出回路は、入力電源電圧を検出する定電圧ダイオードを備え、
前記出力遮断部は、一次−二次間にて情報を伝達するフォトカプラ、及び出力ラインを短絡するためのサイリスタを備え、定電圧ダイオードで検出された入力電源電圧の上昇に基づき、フォトカプラで二次側のサイリスタを作動させ、出力ラインを短絡し出力を停止するものであることを特徴とする請求項１ないし３の何れか１項に記載のスイッチング電源装置。
【請求項７】
前記検出回路は、入力電源電圧を検出するシャントレギュレータを備え、
前記出力遮断部は、一次−二次間にて情報を伝達するフォトカプラ、及び出力を開放するためのトランジスタを備え、シャントレギュレータにて検出された入力電源電圧の上昇に基づき、フォトカプラで二次側のトランジスタを作動させ、出力ラインを開放し出力を停止するものであることを特徴とする請求項１ないし３の何れか１項に記載のスイッチング電源装置。
【請求項８】
前記検出回路は、入力電源電圧を検出するシャントレギュレータを備え、
前記出力遮断部は、一次−二次間にて情報を伝達すると共に出力ラインを断接するためのリレーを備え、シャントレギュレータにより検出された入力電源電圧の上昇に基づき、リレーを作動させることにより、出力ラインを開放し出力を停止するものであることを特徴とする請求項１ないし３の何れか１項に記載のスイッチング電源装置。
【請求項９】
前記検出回路は、入力電源電圧を検出するシャントレギュレータを備え、
前記出力遮断部は、一次−二次間にて情報を伝達するフォトカプラ、及び出力ラインを短絡するためのサイリスタを備え、シャントレギュレータにて検出された入力電源電圧の上昇に基づき、フォトカプラで二次側のサイリスタを作動させ、出力ラインを短絡し出力を停止するものであることを特徴とする請求項１ないし３の何れか１項に記載のスイッチング電源装置。
【発明の詳細な説明】
【技術分野】
【０００１】
本発明は、ＡＣ−ＤＣコンバータや、ＤＣ−ＤＣコンバータなどとして好適に実施され、直流安定化電圧を出力し、上記直流安定化電圧が印加される負荷に対する保護機能を有するスイッチング電源装置に関するものである。
【背景技術】
【０００２】
従来、スイッチング電源装置は、電圧変換効率を高め、かつ小型化・軽量化が可能なものとして知られている。これは、スイッチング電源装置において、トランスの１次側の巻線を流れる電流を高周波数にてスイッチング（断接）することで、トランスの２次側に流れる交流に電圧を制御して変換するので、上記トランスでの変換効率を向上でき、また上記トランスを小型化・軽量化できるからである。
【０００３】
上記スイッチング電源装置には、上記スイッチングを制御するための制御部ＩＣを用いた他励式のスイッチング制御のものと、この制御部ＩＣを使用しない自励式のスイッチング制御のものとが知られている。
【０００４】
このような自励式のスイッチング制御を用いたスイッチング電源装置の例を図１２に示す。上記スイッチング電源装置は、動作中に入力電源電圧が上昇した場合、過電圧保護回路として、一次側の入力電圧の上昇を抑える、バリスタが入力側に設けられている。上記スイッチング電源装置においては、その入力過電圧状態が継続して、バリスタの素子限界を超えた時、バリスタは短絡することにより入力の過電流を発生させ、その結果ヒューズを遮断させてスイッチング電源装置の動作停止を実行できるようになっている。
【特許文献１】特開昭５８−１２２６９５号公報（公開日：１９８３年７月２１日）
【特許文献２】特開昭６１−８８７２３号公報（公開日：１９８６年５月７日）
【発明の開示】
【発明が解決しようとする課題】
【０００５】
しかしながら、以上の様なスイッチング電源装置では、入力電源電圧上昇時においては入力部にバリスタを入れることにより保護しているが、バリスタによる保護は発煙・発火の可能性があるため、信頼性に乏しいという問題を生じる。
【０００６】
また、特許文献１には、インバータの入力過電圧保護回路が開示され、特許文献２では、集積回路のゲートへの入力過電圧保護回路が開示されているが、上記各特許文献１及び２においても、出力側の保護について何ら考慮されていない。
【０００７】
そこで、本発明は、入力電源電圧がある一定電圧以上に上昇した場合に出力を遮断し、安全性・信頼性を向上できるスイッチング電源装置を提供することを目的としている。
【課題を解決するための手段】
【０００８】
本発明に係るスイッチング電源装置は、上記課題を解決するために、一次側巻線と二次側巻線とを有するトランスと、トランスの一次側巻線に接続されて、負荷へ印加印加される負荷電圧を安定化するためのスイッチング素子と、スイッチング素子のスイッチングを制御する制御回路と、上記トランスの一次側に設けられた入力電源電圧の検出回路と、上記トランスの二次側に設けられ、上記検出回路の検出結果に基づいて負荷への電力供給を遮断させる出力遮断部とを備えていることを特徴としている。
【０００９】
上記構成によれば、入力電源電圧が異常に上昇したとき、負荷への出力ラインを開放若しくは短絡することにより、負荷への出力を停止させ、上記負荷である被電源供給機器へ異常状態であることを伝えると共に、上記負荷を入力電圧の上昇から保護できる。よって、上記構成は、負荷への安全性・信頼性を向上できる。
【００１０】
上記スイッチング電源装置では、前記検出回路は、直流入力又は、交流を整流平滑した直流電圧を検出するものであってもよい。上記構成によれば、直流入力又は、交流入力を整流平滑することにより得た直流入力電圧を検出し、その検出結果を基に出力ラインを開放若しくは短絡することにより出力を停止させることで、負荷側に異常状態であることを伝達できる。よって、上記構成は、負荷への安全性・信頼性を向上できる。
【００１１】
上記スイッチング電源装置においては、前記検出回路は、トランスに入力電圧検出巻線を設け、その入力電圧検出巻線に発生する電圧を整流平滑した直流電圧を検出するものであってもよい。
【００１２】
上記構成によれば、トランスに入力電圧検出巻線を設け、その巻線に発生する電圧を整流平滑した直流電圧を検出し、その検出結果を基に出力ラインを開放若しくは短絡することにより出力を停止させ、負荷側へ異常状態であることを伝えることが可能となるので、負荷への安全性・信頼性を向上できる。
【００１３】
その上、上記構成では、入力電源電圧の上昇を電圧検出巻線より検出することにより、トランスの巻数比を適切に設定することで、電圧検出巻線の出力電圧を低く設定できる為、検出回路で消費される電力を低く抑えることができる。
【００１４】
上記スイッチング電源装置では、前記検出回路は、入力電源電圧を検出する定電圧ダイオードを備え、前記出力遮断部は、一次−二次間にて情報を伝達するフォトカプラ、及び出力を開放するためのトランジスタを備え、定電圧ダイオードで検出された入力電源電圧の上昇の検出に基づきフォトカプラで二次側のトランジスタを作動させ、出力ラインを開放し出力を停止するものであってもよい。
【００１５】
上記構成によれば、入力電源電圧の上昇を定電圧ダイオードで検出し、出力ラインをトランジスタの作動で開放することにより出力を停止し、入力電源電圧上昇時に被電源供給機器である負荷側を保護することができる。
【００１６】
上記スイッチング電源装置においては、前記検出回路は、入力電源電圧を検出する定電圧ダイオードを備え、前記出力遮断部は、一次−二次間にて情報を伝達すると共に出力ラインを断接するためのリレーを備え、定電圧ダイオードでの入力電源電圧の上昇の検出に基づき、リレーを作動させることにより、出力ラインを開放し出力を停止するものであってもよい。
【００１７】
上記構成によれば、入力電源電圧の上昇を定電圧ダイオードで検出し、出力ラインをリレーの作動で開放することにより出力を停止し、入力電源電圧上昇時に負荷側を保護することができる。
【００１８】
上記スイッチング電源装置では、前記検出回路は、入力電源電圧を検出する定電圧ダイオードを備え、前記出力遮断部は、一次−二次間にて情報を伝達するフォトカプラ、及び出力ラインを短絡するためのサイリスタを備え、定電圧ダイオードで検出された入力電源電圧の上昇に基づき、フォトカプラで二次側のサイリスタを作動させ、出力ラインを短絡し出力を停止するものであってもよい。
【００１９】
上記構成によれば、入力電源電圧の上昇を定電圧ダイオードで検出し、フォトカプラを介して出力ラインをサイリスタの作動で短絡することにより出力を停止し、入力電源電圧上昇時に負荷側を保護することができる。
【００２０】
上記スイッチング電源装置においては、前記検出回路は、入力電源電圧を検出するシャントレギュレータを備え、前記出力遮断部は、一次−二次間にて情報を伝達するフォトカプラ、及び出力を開放するためのトランジスタを備え、シャントレギュレータにて検出された入力電源電圧の上昇に基づき、フォトカプラで二次側のトランジスタを作動させ、出力ラインを開放し出力を停止するものであってもよい。
【００２１】
上記構成によれば、入力電源電圧の上昇をシャントレギュレータで検出し、フォトカプラを介して出力ラインをトランジスタで開放することにより出力を停止し、入力電源電圧上昇時に負荷側を保護することができる。
【００２２】
上記スイッチング電源装置では、前記検出回路は、入力電源電圧を検出するシャントレギュレータを備え、前記出力遮断部は、一次−二次間にて情報を伝達すると共に出力ラインを断接するためのリレーを備え、シャントレギュレータにより検出された入力電源電圧の上昇に基づき、リレーを作動させることにより、出力ラインを開放し出力を停止するものであってもよい。
【００２３】
上記構成によれば、入力電源電圧の上昇をシャントレギュレータで検出し、出力ラインをリレーで開放することにより出力を停止し、入力電源電圧上昇時に負荷側を保護することができる。
【００２４】
上記スイッチング電源装置においては、前記検出回路は、入力電源電圧を検出するシャントレギュレータを備え、前記出力遮断部は、一次−二次間にて情報を伝達するフォトカプラ、及び出力ラインを短絡するためのサイリスタを備え、シャントレギュレータにて検出された入力電源電圧の上昇に基づき、フォトカプラで二次側のサイリスタを作動させ、出力ラインを短絡し出力を停止するものであってもよい。
【００２５】
上記構成によれば、入力電源電圧の上昇をシャントレギュレータで検出し、出力ラインをサイリスタの作動で短絡することにより出力を停止し、入力電源電圧上昇時に負荷側を保護することができる。
【発明の効果】
【００２６】
本発明のスイッチング電源装置は、以上のように、トランスの一次側に設けられた入力電源電圧の検出回路と、上記トランスの二次側に設けられ、上記検出回路の検出結果に基づいて負荷への電力供給を遮断させる出力遮断部とを備えている構成である。
【００２７】
それゆえ、上記構成は、入力電圧が上昇していくと負荷への出力ラインを開放若しくは短絡することにより、負荷への出力を停止させ、上記負荷である被電源供給機器へ異常状態であることを伝えると共に、上記負荷を入力電圧の上昇から保護できる。よって、上記構成は、負荷への安全性・信頼性を向上できるという効果を奏する。
【発明を実施するための最良の形態】
【００２８】
本発明の実施の各形態について、図１ないし図１１に基づいて説明すれば以下のとおりである。
【００２９】
（実施の第一形態）
本発明の実施の第一形態のスイッチング電源装置では、図１に示す概略的構成を示すブロック図に示すように、例えば１００Ｖ、６０Ｈｚの商用電源１が、ヒューズ２０を介して入力されるフィルタ回路２と、フィルタ回路２からのノイズが除去された交流が入力される、ホイーストンブリッジ型ダイオード等の一次側の整流回路ＢＤ１と、整流回路ＢＤ１からのリップル成分を備えた直流をさらに整流するための平滑用コンデンサＣ１とが設けられている。
【００３０】
また、上記スイッチング電源装置においては、平滑用コンデンサＣ１からの直流が入力される一次側主巻線Ｔ１ａと一次側主巻線Ｔ１ａとは極性が逆方向となる二次側巻線Ｔ１ｂとを有する出力トランスＴ１が設けられている。
【００３１】
さらに、出力トランスＴ１の一次側主巻線Ｔ１ａに接続されて、負荷へ印加印加される負荷電圧を安定化するために、上記一次側主巻線Ｔ１ａに流れる電流を断接する電界効果型トランジスタであるＦＥＴ（スイッチング素子）Ｑ１と、ＦＥＴＱ１のスイッチングを制御するための一次側副巻線（制御回路）Ｔ１ｃとが設けられている。一次側副巻線Ｔ１ｃは、上記出力トランスＴ１に、一次側主巻線Ｔ１ａと極性が順方向にて形成されている。本実施の形態では、上記ＦＥＴＱ１は、Ｎ型であるが必要に応じてＰ型も使用可能である。
【００３２】
よって、ＦＥＴＱ１のドレインは、一次側主巻線Ｔ１ａのアース側に接続され、ＦＥＴＱ１のソースが一次側副巻線Ｔ１ｃのアース側に接続され、ＦＥＴＱ１のゲートが一次側副巻線Ｔ１ｃにおけるアース側とは反対側と接続されている。
【００３３】
その上、上記出力トランスＴ１の二次側巻線Ｔ１ｂには、二次側巻線Ｔ１ｂから出力される交流を整流するための整流用ダイオードＤ１及び平滑用コンデンサＣ２が設けられている。これらにより、本実施の形態においては、絶縁型で、自励式のＲＣＣ（リンギングチョークコンバータ）型のスイッチング電源装置を実現している。
【００３４】
そして、本発明のスイッチング電源装置では、上記出力トランスＴ１の一次側に設けられた入力電源電圧の過電圧検出回路（検出回路）３と、上記出力トランスＴ１の二次側に設けられ、上記過電圧検出回路３の検出結果に基づいて負荷への電力供給を遮断させる出力遮断回路４とを備えている。なお、過電圧検出回路３における、入力電源電圧の異常上昇の検出については、必要に応じて設定すればよく、また、後述の定電圧ダイオードＺＤ１等の規格の選択により容易に設定可能である。
【００３５】
本実施の形態においては、入力電源電圧の上昇した際に電源装置の出力は一定に持続されるように制御されるため、負荷（被電源供給）側では入力電源電圧の異常を検出できないが、電源装置の入力電源電圧が上昇した場合に出力を停止させることにより、負荷側へ異常を伝達し、負荷を保護できる。
【００３６】
（実施の第二形態）
本発明に係る実施の第二形態のスイッチング電源装置では、図２の回路図に示すように、過電圧検出回路３ａが、出力トランスＴ１の一次側に、平滑用コンデンサＣ１に対し並列に接続されて設けられている。過電圧検出回路３ａは、抵抗Ｒ１、フォトカプラＰＣ１の発光ダイオードＰＣ１ａ及び定電圧（ツェナー）ダイオードＺＤ１を互いに直列に接続して有している。
【００３７】
また、上記スイッチング電源装置においては、出力遮断回路４ａが、出力トランスＴ１の二次側に、平滑用コンデンサＣ２に対し並列に接続されて設けられている。出力遮断回路４ａは、スイッチとしてのトランジスタＱ２と抵抗Ｒ２とフォトカプラＰＣ１の受光トランジスタＰＣ１ｂとを備えている。トランジスタＱ２は、ｎｐｎ型であり、そのコレクタが整流用ダイオードＤ１に接続され、そのエミッタが出力端子に接続され、そのベースがフォトカプラＰＣ１の受光トランジスタＰＣ１ｂの一方の端子に接続されている。抵抗Ｒ２の各端子は、トランジスタＱ２のコレクタとベースとにそれぞれ接続されている。受光トランジスタＰＣ１ｂの他方の端子は、アースに接続されている。
【００３８】
上記スイッチング電源装置においては、入力電源電圧が上昇すると定電圧ダイオードＺＤ１がオンするため、フォトカプラＰＣ１の発光ダイオードＰＣ１ａがオンし、フォトカプラＰＣ１の受光トランジスタＰＣ１ｂがオンする。それにより、トランジスタＱ２がオフとなり出力ラインが開放され、出力を停止させることを特徴とする。なお、本実施の第二形態、及び以下の各形態において、上記実施の第一形態と同様な機能を有する部材に関しては、同一の部材番号を付与してそれらの説明を省いた。
【００３９】
（実施の第三形態）
図３は本発明の実施の第三形態のスイッチング電源装置の回路図である。上記スイッチング電源装置においては、図３に示すように、過電圧検出回路３ｂが、出力トランスＴ１の一次側に、平滑用コンデンサＣ１に対し並列に接続されて設けられている。過電圧検出回路３ｂは、抵抗Ｒ１、リレーＲＹ１のコイル部及び定電圧ダイオードＺＤ１を互いに直列に接続して有している。
【００４０】
また、上記スイッチング電源装置では、出力遮断回路４ｂとしての、上記リレーＲＹ１のコイルの作動により出力ラインを断接するスイッチ部が、出力トランスＴ１の二次側に接続されて設けられている。
【００４１】
上記スイッチング電源装置においては、入力電源電圧が上昇すると定電圧ダイオードＺＤ１がオンするため、リレーＲＹ１のコイル部に電圧が印加され、リレーＲＹ１のスイッチ部が切り替わる。それにより、出力ラインが開放され、出力を停止することを特徴とする。
【００４２】
（実施の第四形態）
図４は本発明の実施の第四形態のスイッチング電源装置の回路図である。上記スイッチング電源装置では、上記実施の第二形態に記載の過電圧検出回路３ａと同様な過電圧検出回路３ｃが設けられている。一方、出力遮断回路４ｃとしては、前述の出力遮断回路４ａのトランジスタＱ２に代えて、電力スイッチング用半導体素子であるサイリスタＳＣＲ１が設けられている。サイリスタＳＣＲ１のアノードは、整流用ダイオードＤ１に接続されている。サイリスタＳＣＲ１のカソードはアースに接続されている。また、フォトカプラＰＣ１の受光トランジスタＰＣ１ｂの両端子には、分圧用の各抵抗Ｒ２、Ｒ３が接続されている。サイリスタＳＣＲ１のゲートは、受光トランジスタＰＣ１ｂと抵抗Ｒ３との間に接続されている。なお、サイリスタＳＣＲ１のゲートは、受光トランジスタＰＣ１ｂと抵抗Ｒ２との間に接続されていてもよい。
【００４３】
上記スイッチング電源装置においては、入力電源電圧が上昇すると定電圧ダイオードＺＤ１がオンするため、フォトカプラＰＣ１の発光ダイオードＰＣ１ａがオンし、フォトカプラＰＣ１の受光トランジスタＰＣ１ｂがオンする。それにより、サイリスタＳＣＲ１がオンとなり出力ラインが短絡され、出力を停止することを特徴とする。
【００４４】
（実施の第五形態）
図５は本発明の実施の第五形態のスイッチング電源装置の回路図である。上記スイッチング電源装置では、第二形態に記載の過電圧検出回路３ａと同様な過電圧検出回路３ｄが設けられている。過電圧検出回路３ｄは、定電圧ダイオードＺＤ１に代えて、シャントレギュレータＩＣ１が設けられている。シャントレギュレータＩＣ１への制御電圧を調整するため、各分圧用抵抗Ｒ４、Ｒ５が出力トランスＴ１の一次側に接続されている。一方、前述の出力遮断回路４ａが設けられている。
【００４５】
上記スイッチング電源装置においては、入力電源電圧が上昇するとシャントレギュレータＩＣ１がオンするためフォトカプラＰＣ１の発光ダイオードＰＣ１ａがオンし、フォトカプラＰＣ１の受光トランジスタＰＣ１ｂがオンする。それにより、トランジスタＱ２のベースがアース電位となるため、トランジスタＱ２がオフとなり出力ラインが開放され、出力を停止することを特徴とする。
【００４６】
（実施の第六形態）
図６は本発明の実施の第六形態のスイッチング電源装置の回路図である。上記スイッチング電源装置では、上記実施の第五形態に記載の過電圧検出回路３ｄのフォトカプラＰＣ１に代えたリレーＲＹ１を備えた過電圧検出回路３ｅが設けられている。よって、出力トランスＴ１の二次側には、出力遮断回路４ｂが設定されている。
【００４７】
上記スイッチング電源装置においては、入力電源電圧が上昇するとシャントレギュレータＩＣ１がオンするため、リレーＲＹ１のコイル部に電圧が印加され、リレーＲＹ１のスイッチ部が切り替わる。それにより、出力ラインが開放され、出力を停止することを特徴とする。
【００４８】
（実施の第七形態）
図７は本発明の実施の第七形態のスイッチング電源装置の回路図である。上記スイッチング電源装置では、前記実施の第五形態に記載の過電圧検出回路３ｄと、前記実施の第四形態に記載の出力遮断回路４ｃとが設けられている。
【００４９】
上記スイッチング電源装置においては、入力電源電圧が上昇するとシャントレギュレータＩＣ１がオンするため、フォトカプラＰＣ１の発光ダイオードＰＣ１ａがオンし、フォトカプラＰＣ１の受光トランジスタＰＣ１ｂがオンする。それにより、サイリスタＳＣＲ１がオンとなり出力ラインが短絡され、出力を停止することを特徴とする。
【００５０】
（実施の第八形態）
図８は本発明の実施の第八形態のスイッチング電源装置の概略的構成を示すブロック図である。上記スイッチング電源装置においては、前記実施の第一形態に記載の構成に加えて、さらに、出力トランスＴ１の一次側に電圧検出用の副巻線Ｔ１ｄを、一次側主巻線Ｔ１ａと同極性にて新たに設け、その副巻線Ｔ１ｄに対し、直列に整流用ダイオードＤ２と、並列に平滑用コンデンサＣ３とが接続されて設けられている。そして、整流用ダイオードＤ２、及び平滑用コンデンサＣ３からの直流電圧が過電圧検出回路３に入力されている。これにより、過電圧検出回路３においては、入力電源電圧が異常に高くなると、その異常は過電圧検出回路３にて検出され、その検出結果に基づき、出力遮断回路４において出力を遮断するようになっている。
【００５１】
ところで、従来では、入力電源電圧の上昇した際にスイッチング電源装置は出力を一定に持続するため、負荷側（被電源供給側）においては、入力電源電圧の異常を検出できない。
【００５２】
そこで、本発明のスイッチング電源装置においては、電源装置の入力電源電圧が上昇した場合に電圧検出巻線である、副巻線Ｔ１ｄを介して電圧検出をすることにより、過電圧検出回路３の消費電力を抑えながら、出力を停止させることによって、負荷側へ異常を伝え、負荷を保護できる。
【００５３】
（実施の第九形態）
図９は本発明の実施の第九形態のスイッチング電源装置の回路図である。上記スイッチング電源装置では、前記上記実施の第八形態に記載の過電圧検出回路３に対応する、前述の実施の第五形態に記載の過電圧検出回路３ｄを含む過電圧検出回路３ｆを備え、出力トランスＴ１の二次側には、出力遮断回路４ａが設けられている。
【００５４】
上記スイッチング電源装置においては、入力電源電圧が上昇すると電圧検出巻線である、副巻線Ｔ１ｄの電圧が上昇し、シャントレギュレータＩＣ１がオンするため、フォトカプラＰＣ１の発光ダイオードＰＣ１ａがオンし、フォトカプラＰＣ１の受光トランジスタＰＣ１ｂがオンする。それにより、トランジスタＱ２がオフとなり出力ラインが開放され、出力を停止することを特徴とする。
【００５５】
（実施の第十形態）
図１０は本発明の実施の第十形態のスイッチング電源装置の回路図である。上記スイッチング電源装置では、前記実施の第八形態に記載の過電圧検出回路３に対応する、前述の実施の第六形態に記載の過電圧検出回路３ｅを含む過電圧検出回路３ｇを備え、出力トランスＴ１の二次側には、出力遮断回路４ｂが設けられている。
【００５６】
上記スイッチング電源装置においては、入力電源電圧が上昇すると電圧検出巻線である、副巻線Ｔ１ｄの電圧が上昇し、シャントレギュレータＩＣ１がオンするため、リレーＲＹ１のコイル部に電圧が印加され、リレーＲＹ１のスイッチ部が切り替わる。それにより、出力ラインが開放され、出力を停止することを特徴とする。
【００５７】
（実施の第十一形態）
図１１は本発明の実施の第十一形態のスイッチング電源装置の回路図である。上記スイッチング電源装置では、前記実施の第八形態に記載の過電圧検出回路３に対応する、前述の実施の第七形態に記載の過電圧検出回路３ｄを含む過電圧検出回路３ｈを備え、出力トランスＴ１の二次側には、出力遮断回路４ｃが設けられている。
【００５８】
上記スイッチング電源装置においては、入力電源電圧が上昇すると電圧検出巻線である、副巻線Ｔ１ｄの電圧が上昇し、シャントレギュレータＩＣ１がオンするため、フォトカプラＰＣ１の発光ダイオードＰＣ１ａがオンし、フォトカプラＰＣ１の受光トランジスタＰＣ１ｂがオンする。それにより、サイリスタＳＣＲ１がオンとなり出力ラインが短絡され、出力を停止することを特徴とする。
【００５９】
これら実施の各形態に記載するように、入力電源電圧が異常に上昇したとき、負荷への出力ラインを開放若しくは短絡することにより、負荷への出力を停止させ、上記負荷である被電源供給機器へ異常状態であることを伝えると共に、上記負荷を入力電圧の上昇から保護できる。よって、上記構成は、負荷への安全性・信頼性を向上できるものとなっている。
【００６０】
なお、上記の実施の各形態では、本発明を自励式のスイッチング電源装置に用いた例を挙げたが、特に自励式に限定されることはなく、例えば、スイッチング電源用の制御部ＩＣを用いた他励式のスイッチング電源装置にも適用できる。また、上記の実施の各形態においては、交流から直流へのスイッチング電源装置に本発明を用いた例を挙げたが、直流から直流への電圧変換等のスイッチング電源装置にも本発明は適用できることは明らかである。
【００６１】
さらに、上記の実施の各形態では、本発明を、絶縁型でＲＣＣ型のスイッチング電源装置に用いた例を挙げたが、絶縁型でＦＣＣ型のスイッチング電源装置にも適用することが可能である。また、上記の実施の各形態においては、フォトカプラＰＣ１やリレーＲＹ１は、部品点数を削減できる異常時にオンする構成としたが、正常時のオン状態で、異常時にオフ状態での構成も可能である。
【産業上の利用可能性】
【００６２】
本発明のスイッチング電源装置は、入力電源電圧の異常な上昇を、出力の停止により負荷側に伝達できるから、負荷側の保護の信頼性を改善できて、スイッチング電源装置の用途に好適に利用できる。
【図面の簡単な説明】
【００６３】
【図１】本発明に係るスイッチング電源装置の実施の第一形態を示す回路ブロック図である。
【図２】本発明に係るスイッチング電源装置の実施の第二形態を示す回路ブロック図である。
【図３】本発明に係るスイッチング電源装置の実施の第三形態を示す回路ブロック図である。
【図４】本発明に係るスイッチング電源装置の実施の第四形態を示す回路ブロック図である。
【図５】本発明に係るスイッチング電源装置の実施の第五形態を示す回路ブロック図である。
【図６】本発明に係るスイッチング電源装置の実施の第六形態を示す回路ブロック図である。
【図７】本発明に係るスイッチング電源装置の実施の第七形態を示す回路ブロック図である。
【図８】本発明に係るスイッチング電源装置の実施の第八形態を示す回路ブロック図である。
【図９】本発明に係るスイッチング電源装置の実施の第九形態を示す回路ブロック図である。
【図１０】本発明に係るスイッチング電源装置の実施の第十形態を示す回路ブロック図である。
【図１１】本発明に係るスイッチング電源装置の実施の第十一形態を示す回路ブロック図である。
【図１２】従来のスイッチング電源装置の要部構成を示すブロック図である。
【符号の説明】
【００６４】
１：商用電源
２：フィルタ回路
３：過電圧検出回路
４：出力遮断回路
Ｔ１：出力トランス
Ｑ１：ＦＥＴ
Ｑ２：トランジスタ
Ｄ１、Ｄ２：整流用ダイオード
ＺＤ１：定電圧ダイオード
Ｒ１、Ｒ２、Ｒ３、Ｒ４、Ｒ５、Ｒ６：抵抗
Ｃ１、Ｃ２、Ｃ３：平滑用コンデンサ
ＲＹ１：リレー
ＳＣＲ１：サイリスタ
ＩＣ１：シャントレギュレータ
ＰＣ１：フォトカプラ
ＢＤ１：整流回路
ＺＲ１：バリスタ
【図１】
2005198469.tif 000003
【図２】
2005198469.tif 000004
【図３】
2005198469.tif 000005
【図４】
2005198469.tif 000006
【図５】
2005198469.tif 000007
【図６】
2005198469.tif 000008
【図７】
2005198469.tif 000009
【図８】
2005198469.tif 000010
【図９】
2005198469.tif 000011
【図１０】
2005198469.tif 000012
【図１１】
2005198469.tif 000013
【図１２】
2005198469.tif 000014